(57)【要約】【課題】  ポンプを駆動している時に複数の弁体が全て閉状態となってしまうことでポンプに過大な負荷がかかってしまうのを防止する浴槽装置を提供する。【解決手段】  浴槽に浴水の吸込口と複数の噴出口とを設けて該吸込口と噴出口とを循環管路で接続し、前記循環管路の途中にポンプと複数の噴出口から噴出する水流を制御するための複数の制御弁とを設けた浴槽装置であって、前記制御弁は流入路と複数の流出路と前記流入路と流出路の連通状態を変化させる弁体とを備え、前記ポンプの駆動中に前記複数の制御弁のうち少なくとも一つの制御弁が開状態となるように制御する。【選択図】図１
2008029423.tif 000002
【特許請求の範囲】
【請求項１】
浴槽に浴水の吸込口と複数の噴出口とを設けて該吸込口と噴出口とを循環管路で接続し、前記循環管路の途中にポンプと複数の噴出口から噴出する水流を制御するための複数の制御弁とを設けた浴槽装置であって、前記制御弁は流入路と複数の流出路と前記流入路と流出路の連通状態を変化させる弁体とを備え、前記ポンプの駆動中に前記複数の制御弁のうち少なくとも一つの制御弁が開状態となるように制御して成ることを特徴とする浴槽装置。
【請求項２】
浴槽に浴水の吸込口と複数の噴出口とを設けて該吸込口と噴出口とを循環管路で接続し、前記循環管路の途中にポンプと複数の噴出口から噴出する水流を制御するための複数の制御弁とを設けた浴槽装置であって、前記制御弁は流入路と複数の流出路と前記流入路と流出路の連通状態を変化させる弁体とを備え、前記複数の制御弁が全て閉状態となる時にポンプを停止するように制御して成ることを特徴とする浴槽装置。
【発明の詳細な説明】
【技術分野】
【０００１】
本発明は、浴槽に設けた噴出口より水流を噴出させる浴槽装置に関するものである。
【背景技術】
【０００２】
従来より、浴槽に設けた噴出口より水流を噴出させる浴槽装置が利用されている（例えば特許文献１参照）。
【０００３】
この特許文献１に示された従来例にあっては、浴槽の左右の一壁面に浴水の吸込部を設けると共に、前後の壁面にそれぞれ主噴射口、副噴射口を設け、前記吸込部と主噴者口、副噴者口をそれぞれ主流路、副流路で接続し、主流路、副流路にそれぞれ主流路側ポンプ、副流路側ポンプを設けてある。この従来例では、主噴射口、副噴射口から異なる噴射状態で湯水を噴射するために複数の運転モードが設けられているが、これらの複数の運転モードは主流路側ポンプと副流路側ポンプのモーターの回転数を複数の異なる回転数に設定したことにより、主噴射口、副噴射口から異なる噴射状態で噴射するようにしたものである。
【０００４】
このように、吸込部から吸込んだ浴水を主噴射口、副噴射口から噴射するために複数の流路に分岐させて各流路にそれぞれポンプを設けているため、ポンプ部が流路の数だけ必要となってコストがかさむものであった。そこで、ポンプを複数の流路に分岐する分岐部の上流側に設け、分岐部に各流路に分岐する水流を制御可能な制御弁を設けて精密な水流制御ができるジェットバスが望まれていた。
【特許文献１】特開２００３−２１０５４４
【発明の開示】
【発明が解決しようとする課題】
【０００５】
そこで本出願人は、流入路と複数の流出路とを備え、前記流入路と流出路の連通状態を変化させる弁体を有する制御弁を備えた浴槽装置を開発した。
【０００６】
この浴槽装置にあっては、複数の制御弁の弁体を回転させて各流路の開閉や開度を調節することが可能となっているが、図９に示すように第１の弁体および第２の弁体の開度が全て閉となっている時にポンプを駆動する（ＯＮにする）と、ポンプを駆動するモータに過大な負荷がかかってしまい、脱調する惧れがあるものであった。
【０００７】
本発明は上記の点に鑑みてなされたものであり、その目的とするところは、ポンプを駆動している時に複数の弁体が全て閉状態となってしまうことでポンプに過大な負荷がかかってしまうのを防止する浴槽装置を提供することを課題とするものである。
【課題を解決するための手段】
【０００８】
上記課題を解決するために請求項１に係る発明にあっては、浴槽１に浴水の吸込口２と複数の噴出口３とを設けて該吸込口２と噴出口３とを循環管路４で接続し、前記循環管路４の途中にポンプ５と複数の噴出口３から噴出する水流を制御するための複数の制御弁６とを設けた浴槽装置であって、前記制御弁６は流入路６３と複数の流出路７と前記流入路６３と流出路７の連通状態を変化させる弁体６２とを備え、前記ポンプ５の駆動中に前記複数の制御弁６のうち少なくとも一つの制御弁６が開状態となるように制御して成ることを特徴とするものである。
【０００９】
このような構成とすることで、ポンプ５を駆動している時に複数の弁体６２が全て閉状態となってしまうことでポンプ５に過大な負荷がかかってしまうのを防止することができる。
【００１０】
また請求項２に係る発明にあっては、浴槽１に浴水の吸込口２と複数の噴出口３とを設けて該吸込口２と噴出口３とを循環管路４で接続し、前記循環管路４の途中にポンプ５と複数の噴出口３から噴出する水流を制御するための複数の制御弁６とを設けた浴槽装置であって、前記制御弁６は流入路６３と複数の流出路７と前記流入路６３と流出路７の連通状態を変化させる弁体６２とを備え、前記複数の制御弁６が全て閉状態となる時にポンプ５を停止するように制御して成ることを特徴とするものである。
【００１１】
このような構成とすることで、ポンプ５を駆動している時に複数の弁体６２が全て閉状態となってしまうことでポンプ５に過大な負荷がかかってしまうのを防止することができる。
【発明の効果】
【００１２】
本発明にあっては、ポンプを駆動している時に複数の制御弁が全て閉状態となってしまうことでポンプに過大な負荷がかかってしまうのを防止することができて、ポンプが故障するのを防止したり経年劣化を抑えることができるものである。
【発明を実施するための最良の形態】
【００１３】
本発明の一実施形態について図面に基づいて説明する。
【００１４】
浴槽１には、図２に示すように、浴槽１内から吸込んだ浴水に空気を巻き込んだ気泡入りの浴水を浴槽１内の入浴者Ｍに向けて噴出する噴出装置が設けてある。噴出装置は、吸込口２と、噴出ノズルを設けた噴出口３と、循環管路４と、ポンプ５と、制御弁６で主体が構成してある。浴槽１の左右の一側壁に吸込口２を設けてあり、この吸込口２から浴槽１内の浴水を吸込むようになっている。また、浴槽１の側壁又は底部に噴出口３を設けてあり、この噴出口３から浴水を浴槽１内に噴出するようになっている。吸込口２と噴出口３とは循環管路４にて接続してあり、この循環管路４の途中にはポンプ５を配置してあり、ポンプ５を駆動することで吸込口２から吸込んだ浴水を噴出口３に搬送して噴出するようになっている。なお、循環管路４の途中にエジェクター部を設けて循環管路４中に気泡を混入させ、気泡入り浴水を噴出口３から噴出するようにしてもよい。循環管路の途中にはポンプを配置してあり、ポンプを駆動することで吸込口から吸込んだ浴水を噴出口に搬送して噴出するようになっている。
【００１５】
本実施形態では四種類の噴出口３が設けてあり、図２に示すものでは足先側から順に足裏噴出口３ａ、ふくらはぎ噴出口３ｂ、腰噴出口３ｄ、太もも噴出口３ｃが設けてあり、更に、これらの噴出口３への流れを切り替えると同時に水流を制御する制御弁６が設けてある。制御弁６は足裏噴出口３ａ及びふくらはぎ噴出口３ｂ用の下半身ブロックＬ用の制御弁６Ｌと、腰噴出口３ｄ及び太もも噴出口３ｃ用の上半身ブロックＵ用の制御弁６Ｕの二つが設けてあり、各制御弁６はそれぞれ別管路４１（４１Ｕ、４１Ｌ）にてポンプ５に接続されて浴水が搬送され、各制御弁６にて足裏噴出口３ａとふくらはぎ噴出口３ｂとからの水流の切り替え、腰噴出口３ｄと太もも噴出口３ｃとからの水流の切り替え、及び、噴出量（いずれか一方のみから噴出している場合の噴出量と、両方から噴出している場合の噴出量）の制御を行っている。
【００１６】
次に、制御弁６による水流の制御について説明する。制御弁６は図３に示すように弁筐体６１と、弁筐体６１内に回動自在に嵌め込まれた弁体６２と、弁体６２を回動するためのステッピングモータ８とで主体が構成される。
【００１７】
弁体６２は筒状をしたもので、その軸方向の端部（すなわち弁筐体６１の外部に露出する部分）に流入用の開口（図示せず）が形成してあって内部が前記開口から流入する流入路６３となっていると共に、弁体６２の弁筐体６１内に位置する部分の側面の一部に弁口６４が開口してある。
【００１８】
弁筐体６１は、その内径が弁体６２の外径と略同じに形成してあり、弁体６２が弁筐体６１内に嵌まり込んだ状態で軸回りに摺動回転するもので、前記弁体６２が回転する際の弁口６４の軌跡に対応する部位に複数（図４に示す例では１８０°の位置関係で二つ）の筐体側開口６５が形成してあり、各筐体側開口６５からそれぞれ流出路７が接続される。下半身ブロックＬの制御弁６においては一方の流出路７ａが足裏噴出口３ａに接続されると共に他方の流出路７ｂがふくらはぎ噴出口３ｂに接続され、上半身ブロックＵの制御弁６においては一方の流出路７ａが腰噴出口３ｄに接続されると共に他方の流出路７ｂが太もも噴出口３ｃに接続される。
【００１９】
弁体６２はステッピングモータ８により回転されるもので、ステッピングモータ８を駆動するための電子回路等からなる制御部（図示せず）が設けてある。ステッピングモータ８についてはここでは詳述しないが、モータに対してパルス信号を送信することで回転させ、その回転角は送信したパルス数に比例して決まるもので、フィードバック制御系を持たずに速度制御、位置制御を極めて小さな誤差で行うことができ、誤差が累積されないため精密な制御が可能となるものである。これにより、弁体６２の回転位置、回転速度、回転方向、駆動・停止のタイミング等を任意に制御することができる。図４（ａ）に示される状態では、弁体６２内の弁口６４全体が一方の流出路７ａに連通しており、弁体６２内の流入路６３の開度は一方の流出路７ａへ１００％開となっており、図４（ｃ）に示される状態では、弁体６２内の弁口６４全体が他方の流出路７ｂに連通しており、弁体６２内の流入路６３の開度は他方の流出路７ｂへ１００％となっており、図４（ａ）及び図４（ｃ）に示される状態では制御弁の開度はいずれも１００％である。また図４（ｂ）に示される状態では制御弁は閉状態（開度０％）であり、また図示はしないが、弁口６４の一方の流出路７ａや他方の流出路７ｂへの連通面積を調節することで、開度を０％〜１００％の間で任意に制御することができる。
【００２０】
また本実施形態では、上半身ブロックＵの腰噴出口３ｄと下半身ブロックＬの足裏噴出口にスイングノズル９を接続してある。
【００２１】
スイングノズル９は、図５に示すようにノズル体９１に前面が開口して噴出口３となる合流室９２と、前記合流室９２に連通接続される二つの流路９３（９３ａ、９３ｂ）を設けて主体が構成される。二つの流路９３は一方の流路９３ａと他方の流路９３ｂとからなり、この一方の流路９３ａと他方の流路９３ｂは、前端部（下流側の端部）がそれぞれ合流室９２の後部に連通接続されるものである。合流室９２へ流入する一方の流路９３ａと他方の流路９３ｂの流れ方向は、互いに前方へ行く程近づいて合流室９２内で合流し、合流した水流が噴出口３から外部に噴出されるのであるが、この時、噴出口３で合流した水は一方の流路９３ａから供給される流量と他方の流路９３ｂから供給される流量によって噴出口３からの噴出される方向が変化するものである。このようなスイングノズル９を一つの噴出口３に設けることで、噴出方向を一定範囲内で変化させることができる。そして、複数の流出口として二つの流出口を有する制御弁６を備え、この二つの流出口を両方ともスイングノズル９に流入するようにしてもよく、この場合には、噴出口３は一つとなる。
【００２２】
そして本発明では、ポンプの駆動中において、ポンプを駆動している時に複数の弁体が全て閉状態となってしまわないように上記制御部により制御するものである。これは図１に示すように、ポンプの駆動中に複数の制御弁のうち少なくとも一つの制御弁が開状態となるように制御したり、また、複数の制御弁が全て閉状態となる時にはポンプを停止するように制御するものであり、これにより、ポンプに過大な負荷がかかってしまうのを防止することができて、ポンプが故障するのを防止したり経年劣化を抑えることができるものである。
【００２３】
以下に、制御パターンの実施例について説明する。
＜実施例１＞
図６に制御弁のタイムチャートを示す。時間ｔ０の時点までは、下半身ブロックＬ用の制御弁６Ｌおよび上半身ブロックＵ用の制御弁６Ｕは閉状態で停止しており、ポンプ５も停止（ＯＦＦ）している。
【００２４】
時点ｔ０より、下半身ブロックＬ用の制御弁６Ｌの弁体６２の回転により開度を開いていき、時点ｔ１で全開（開度１００％）となる。また、時点ｔ１でポンプ５の駆動が開始される。
【００２５】
時点ｔ１より時点ｔ２までの間は、下半身ブロックＬ用の制御弁６Ｌにより足裏噴出口３ａのスイングノズル９によるスイングが行われ、この間の下半身ブロックＬ用の制御弁６Ｌの開度は１００％が維持される。
【００２６】
時点ｔ２より時点ｔ３までの間に、弁体６２の回転により、下半身ブロックＬ用の制御弁６Ｌによる足裏噴出口３ａのスイングノズル９への吐出量を５０％（下半身ブロックＬ用の制御弁６Ｌの開度の５０％相当）に減少させると共に、ふくらはぎ噴出口３ｂへの吐出量を０％から５０％（下半身ブロックＬ用の制御弁６Ｌの開度の５０％相当）へと増加させ、この間の下半身ブロックＬ用の制御弁６Ｌの開度は１００％が維持される。
【００２７】
時点ｔ３より時点ｔ４までの間は、弁体６２は停止しており、足裏噴出口３ａのスイングノズル９への吐出量が５０％、ふくらはぎ噴出口３ｂへの吐出量が５０％の状態が維持され、この間の下半身ブロックＬ用の制御弁６Ｌの開度は１００％が維持される。
【００２８】
時点ｔ４より時点ｔ５までの間は、弁体６２の回転により、下半身ブロックＬ用の制御弁６Ｌによる足裏噴出口３ａのスイングノズル９への吐出量を５０％から０に減少させると共に、ふくらはぎ噴出口３ｂへの吐出量を５０％から１００％（下半身ブロックＬ用の制御弁６Ｌの開度の１００％相当）へと増加させ、この間の下半身ブロックＬ用の制御弁６Ｌの開度は１００％が維持される。
【００２９】
時点ｔ５より時点ｔ６までの間は、弁体６２は停止しており、ふくらはぎ噴出口３ｂへの吐出量が１００％に維持され、この間の下半身ブロックＬ用の制御弁６Ｌの開度は１００％が維持される。
【００３０】
なお、時点ｔ０より時点ｔ６までの間は、上半身ブロックＵ用の制御弁６Ｕの開度は０％（閉状態）が維持される。
【００３１】
時点ｔ６より時点ｔ７までの間に、下半身ブロックＬ用の制御弁６Ｌの弁体６２の回転により、下半身ブロックＬ用の制御弁６Ｌによるふくらはぎ噴出口３ｂへの吐出量を１００％から半分へと減少させると共に、上半身ブロックＵ用の制御弁６Ｕの弁体６２の回転により、上半身ブロックＵ用の制御弁６Ｕの太もも噴出口３ｃへの吐出量を０％から５０％（上半身ブロックＵ用の制御弁６Ｕの開度の５０％相当）にまで増加させる。この間、下半身ブロックＬ用の制御弁６Ｌの開度は１００％から５０％へと減少し、上半身ブロックＵ用の制御弁６Ｕの開度は０％から５０％へと増加する。
【００３２】
時点ｔ７より時点ｔ８までの間、各制御弁の弁体６２は停止しており、下半身ブロックＬ用の制御弁６Ｌによるふくらはぎ噴出口３ｂへの吐出量が５０％、上半身ブロックＵ用の制御弁６Ｕの太もも噴出口３ｃへの吐出量が５０％の状態が維持され、下半身ブロックＬ用の制御弁６Ｌの開度および上半身ブロックＵ用の制御弁６Ｕの開度は５０％が維持される。
【００３３】
時点ｔ８より時点ｔ９までの間に、下半身ブロックＬ用の制御弁６Ｌの弁体６２の回転により、下半身ブロックＬ用の制御弁６Ｌによるふくらはぎ噴出口３ｂへの吐出量を５０％から０へと減少させると共に、上半身ブロックＵ用の制御弁６Ｕの弁体６２の回転により、上半身ブロックＵ用の制御弁６Ｕの太もも噴出口３ｃへの吐出量を５０％から１００％にまで増加させる。この間、下半身ブロックＬ用の制御弁６Ｌの開度は５０％から０％へと減少し、上半身ブロックＵ用の制御弁６Ｕの開度は５０％から１００％へと増加する。
【００３４】
時点ｔ９より時点ｔ１０までの間、弁体６２は停止しており、上半身ブロックＵ用の制御弁６Ｕの太もも噴出口３ｃへの吐出量が１００％の状態が維持され、上半身ブロックＵ用の制御弁６Ｕの開度は１００％が維持される。
【００３５】
時点ｔ１０より時点ｔ１１までの間に、弁体６２の回転により、上半身ブロックＵ用の制御弁６Ｕによる太もも噴出口３ｃへの吐出量を１００％から５０％に減少させると共に、腰噴出口３ｄへの吐出量を０から５０％へと増加させ、この間の上半身ブロックＵ用の制御弁６Ｕの開度は１００％が維持される。
【００３６】
時点ｔ１１より時点ｔ１２までの間、弁体６２は停止しており、上半身ブロックＵ用の制御弁６Ｕによる太もも噴出口３ｃへの吐出量が５０％、腰噴出口３ｄへの吐出量が５０％の状態が維持され、この間の上半身ブロックＵ用の制御弁６Ｕの開度は１００％が維持される。
【００３７】
時点ｔ１２より時点ｔ１３までの間に、弁体６２の回転により、上半身ブロックＵ用の制御弁６Ｕによる太もも噴出口３ｃへの吐出量を５０％から０％に減少させると共に、腰噴出口３ｄへの吐出量を５０％から１００％へと増加させ、この間の上半身ブロックＵ用の制御弁６Ｕの開度は１００％が維持される。
【００３８】
時点ｔ１３より時点ｔ１４までの間、弁体６２は停止しており、上半身ブロックＵ用の制御弁６Ｕによる腰噴出口３ｄへの吐出量１００％が維持されてスイングが行われ、この間の上半身ブロックＵ用の制御弁６Ｕの開度は１００％が維持される。
【００３９】
時点ｔ１４より時点ｔ１５までの間、上半身ブロックＵ用の制御弁６Ｕの弁体６２の回転により、上半身ブロックＵ用の制御弁６Ｕの腰噴出口３ｄへの吐出量を１００％から５０％に減少させると共に、下半身ブロックＬ用の制御弁６Ｌの弁体６２の回転により、下半身ブロックＬ用の制御弁６Ｌによる足裏噴出口３ａへの吐出量を０％から５０％へと増加させる。この間、下半身ブロックＬ用の制御弁６Ｌの開度は０％から５０％へと増加し、上半身ブロックＵ用の制御弁６Ｕの開度は１００％から５０％へと減少する。
【００４０】
時点ｔ１５より時点ｔ１６までの間、上半身ブロックＵ用の制御弁６Ｕの弁体６２の回転により、上半身ブロックＵ用の制御弁６Ｕの腰噴出口３ｄへの吐出量を５０％から０％に減少させると共に、下半身ブロックＬ用の制御弁６Ｌの弁体６２の回転により、下半身ブロックＬ用の制御弁６Ｌによる足裏噴出口３ａへの吐出量を５０％から１００％へと増加させる。この間、下半身ブロックＬ用の制御弁６Ｌの開度は５０％から１００％へと増加し、上半身ブロックＵ用の制御弁６Ｕの開度は５０％から０％へと減少する。
【００４１】
時点ｔ１６より時点ｔ１７までの間、下半身ブロックＬ用の制御弁６Ｌによる足裏噴出口３ａへの吐出量１００％が維持されてスイングが行われて時点ｔ１より時点ｔ２までの間と同様のことが行われ、以後、時点ｔ１より時点ｔ１７までのサイクルが繰り返される。
【００４２】
この実施例１では、時点ｔ１より時点ｔ１７までにおいて、ポンプ５が駆動すると共に常に下半身ブロックＬ用の制御弁６Ｌまたは上半身ブロックＵ用の制御弁６Ｕが開状態となるように制御しており、ポンプを駆動するモータに過大な負荷がかからないものである。
【００４３】
また、時点ｔ０では下半身ブロックＬ用の制御弁６Ｌと上半身ブロックＵ用の制御弁６Ｕの両方が閉状態となるものの、この時にはポンプ５を駆動しないように制御するため、ポンプを駆動するモータに過大な負荷がかからないものである。
＜実施例２＞
図７に制御弁のタイムチャートを示す。時間ｔ０の時点までは、下半身ブロックＬ用の制御弁６Ｌおよび上半身ブロックＵ用の制御弁６Ｕは閉状態で停止しており、ポンプ５も停止（ＯＦＦ）している。
【００４４】
時点ｔ０より、下半身ブロックＬ用の制御弁６Ｌの弁体６２の回転により開度を開いていき、時点ｔ１で全開（開度１００％）となる。また、時点ｔ１でポンプ５の駆動が開始される。
【００４５】
時点ｔ１より時点ｔ２までの間は、下半身ブロックＬ用の制御弁６Ｌにより足裏噴出口３ａのスイングノズル９によるスイングが行われ、この間の下半身ブロックＬ用の制御弁６Ｌの開度は１００％が維持される。
【００４６】
時点ｔ２より時点ｔ３までの間に、弁体６２の回転により、下半身ブロックＬ用の制御弁６Ｌによる足裏噴出口３ａのスイングノズル９への吐出量を５０％に減少させると共に、ふくらはぎ噴出口３ｂへの吐出量を０から５０％へと増加させ、この間の下半身ブロックＬ用の制御弁６Ｌの開度は１００％が維持される。
【００４７】
時点ｔ３より時点ｔ４までの間は、弁体６２は停止しており、足裏噴出口３ａのスイングノズル９への吐出量が５０％、ふくらはぎ噴出口３ｂへの吐出量が５０％の状態が維持され、この間の下半身ブロックＬ用の制御弁６Ｌの開度は１００％が維持される。
【００４８】
時点ｔ４より時点ｔ５までの間は、弁体６２の回転により、下半身ブロックＬ用の制御弁６Ｌによる足裏噴出口３ａのスイングノズル９への吐出量を５０％から０％に減少させると共に、ふくらはぎ噴出口３ｂへの吐出量を５０％から１００％へと増加させ、この間の下半身ブロックＬ用の制御弁６Ｌの開度は１００％が維持される。
【００４９】
時点ｔ５より時点ｔ６までの間は、弁体６２は停止しており、ふくらはぎ噴出口３ｂへの吐出量が１００％に維持され、この間の下半身ブロックＬ用の制御弁６Ｌの開度は１００％が維持される。
【００５０】
時点ｔ６より時点ｔ７までの間は、弁体６２の回転により、下半身ブロックＬ用の制御弁６Ｌによる足裏噴出口３ａのスイングノズル９への吐出量を０％から１００％に増加させると共に、ふくらはぎ噴出口３ｂへの吐出量を１００％から０％へと減少させ、この間の下半身ブロックＬ用の制御弁６Ｌの開度は１００％が維持される。
【００５１】
時点ｔ７より時点ｔ８までの間、下半身ブロックＬ用の制御弁６Ｌによる足裏噴出口３ａへの吐出量１００％が維持されてスイングが行われて時点ｔ１より時点ｔ２までの間と同様のことが行われ、以後、時点ｔ１より時点ｔ７までのサイクルが繰り返される。
【００５２】
なお、上半身ブロックＵ用の制御弁６Ｕの開度は０％（閉状態）が維持される。
【００５３】
この実施例２では、時点ｔ１より時点ｔ７までにおいて、ポンプ５が駆動すると共に常に下半身ブロックＬ用の制御弁６Ｌが開状態となるように制御しており、ポンプ５を駆動するモータに過大な負荷がかからないものである。
【００５４】
また、時点ｔ０では下半身ブロックＬ用の制御弁６Ｌと上半身ブロックＵ用の制御弁６Ｕの両方が閉状態となるものの、この時にはポンプ５を駆動しないように制御するため、ポンプ５を駆動するモータに過大な負荷がかからないものである。
＜実施例３＞
図８に制御弁のタイムチャートを示す。時間ｔ０の時点までは、上半身ブロックＵ用の制御弁６Ｕおよび下半身ブロックＬ用の制御弁６Ｌは閉状態で停止しており、ポンプ５も停止（ＯＦＦ）している。
【００５５】
時点ｔ０より、上半身ブロックＵ用の制御弁６Ｕの弁体６２の回転により開度を開いていき、時点ｔ１で全開（開度１００％）となる。また、時点ｔ１でポンプ５の駆動が開始される。
【００５６】
時点ｔ１より時点ｔ２までの間は、上半身ブロックＵ用の制御弁６Ｕにより腰噴出口３ｄのスイングノズル９による腰から背中にかけてのスイングが行われ、この間の上半身ブロックＵ用の制御弁６Ｕの開度は１００％が維持される。
【００５７】
時点ｔ２より時点ｔ３までの間は、上半身ブロックＵ用の制御弁６Ｕにより腰噴出口３ｄのスイングノズル９による腰上部への噴出が行われ、この間の上半身ブロックＵ用の制御弁６Ｕの開度は１００％が維持される。
【００５８】
時点ｔ３より時点ｔ４までの間は、上半身ブロックＵ用の制御弁６Ｕにより腰噴出口３ｄのスイングノズル９による腰から背中にかけてのスイングが行われ、この間の上半身ブロックＵ用の制御弁６Ｕの開度は１００％が維持される。
【００５９】
時点ｔ４より時点ｔ５までの間は、上半身ブロックＵ用の制御弁６Ｕにより腰噴出口３ｄのスイングノズル９による腰下部への噴出が行われ、この間の上半身ブロックＵ用の制御弁６Ｕの開度は１００％が維持される。
【００６０】
時点ｔ５より時点ｔ６までの間、上半身ブロックＵ用の制御弁６Ｕによる腰噴出口３ｄへの吐出量１００％が維持されてスイングが行われて時点ｔ１より時点ｔ２までの間と同様のことが行われ、以後、時点ｔ１より時点ｔ５までのサイクルが繰り返される。
【００６１】
なお、下半身ブロックＬ用の制御弁６Ｌの開度は０％（閉状態）が維持される。
【００６２】
この実施例３では、時点ｔ１より時点ｔ５までにおいて、ポンプ５が駆動すると共に常に上半身ブロックＵ用の制御弁６Ｕが開状態となるように制御しており、ポンプ５を駆動するモータに過大な負荷がかからないものである。
【００６３】
また、時点ｔ０では上半身ブロックＵ用の制御弁６Ｕと下半身ブロックＬ用の制御弁６Ｌの両方が閉状態となるものの、この時にはポンプ５を駆動しないように制御するため、ポンプ５を駆動するモータに過大な負荷がかからないものである。
【図面の簡単な説明】
【００６４】
【図１】本発明の一実施形態の浴槽装置の制御弁のタイムチャートである。
【図２】同上の浴槽装置の全体概略構成図である。
【図３】同上における制御弁の斜視図である。
【図４】（ａ）（ｂ）（ｃ）は同上における制御弁の動作を示す断面図である。
【図５】同上におけるスイングノズルの断面図である。
【図６】同上の実施例１のタイムチャートである。
【図７】同上の実施例２のタイムチャートである。
【図８】同上の実施例３のタイムチャートである。
【図９】従来の浴槽装置の制御弁のタイムチャートである。
【符号の説明】
【００６５】
１    浴槽
２    吸込口
３    噴出口
４    循環管路
５    ポンプ
６    制御弁
【図１】
2008029423.tif 000003
【図２】
2008029423.tif 000004
【図３】
2008029423.tif 000005
【図４】
2008029423.tif 000006
【図５】
2008029423.tif 000007
【図６】
2008029423.tif 000008
【図７】
2008029423.tif 000009
【図８】
2008029423.tif 000010
【図９】
2008029423.tif 000011